(57)【要約】【課題】  すが漏れの抑制が図られたスノーダクトカバーを提供する。【解決手段】  本発明に係るスノーダクトカバー１においては、一対の側壁部２３，２４それぞれには、複数の水抜き孔２５が形成されている。そして、各側壁部２３，２４に形成された複数の水抜き孔２５のうち、最上段の水抜き孔２５Ａは、各側壁部２３，２４の外表面２３ｃ,２４ｃから所定距離だけ離間したキャップ２１によって覆われている。そのため、このスノーダクトカバー１上に雪が積もった場合、少なくともキャップ２１によって覆われた水抜き孔２５Ａは雪で塞がれない。従って、キャップ２１によって覆われた水抜き孔２５Ａを介して良好な集排水処理が維持されるため、このスノーダクトカバー１は十分にすが漏れを抑制することができる。【選択図】  図２
2005325654.tif 000002
【特許請求の範囲】
【請求項１】
対向する位置に配置された一対の側壁部と、前記一対の側壁部それぞれの上端部の外表面を、前記一対の側壁部の外表面から所定距離だけ離間した状態で覆うキャップ部とを備え、
前記一対の側壁部のそれぞれには水抜き孔が複数形成されており、前記キャップ部は、前記複数の水抜き孔のうち、少なくとも一部の前記水抜き孔を覆う、スノーダクトカバー。
【請求項２】
前記一対の側壁部を一体的に連結する上壁部をさらに備える、請求項１に記載のスノーダクトカバー。
【請求項３】
前記一対の側壁部は、それぞれの下端側にいくに従ってその離間距離が長くなるように傾いている、請求項１又は２に記載のスノーダクトカバー。
【請求項４】
前記各側壁部の下端側には、外側に突き出た段部が形成されている、請求項１〜３のいずれか一項に記載のスノーダクトカバー。
【請求項５】
前記各側壁部の下端部の縁が弾性体で被覆されている、請求項１〜４のいずれか一項に記載のスノーダクトカバー。
【請求項６】
前記キャップ部が覆う前記一対の側壁部の外表面の面積は、該外表面の全体の面積の１／３以下である、請求項１〜５のいずれか一項に記載のスノーダクトカバー。
【請求項７】
前記各側壁部が弾性材料で構成されている、請求項１〜６のいずれか一項に記載のスノーダクトカバー。
【請求項８】
前記一対の側壁部の下端部の間に介在し、前記一対の側壁部が互いに離間する方向に突っ張る突張り部材をさらに備える、請求項７に記載のスノーダクトカバー。
【発明の詳細な説明】
【技術分野】
【０００１】
本発明は、無落雪屋根の集排水溝を覆うスノーダクトカバーに関するものである。
【背景技術】
【０００２】
従来、降雪量の多い地域では、屋根に積もった雪をいかに処理するかが大きな問題となっている。特に、住宅が密集している地域等では、周囲に雪を下ろすことが難しいため、問題はより深刻なものとなる。そこで、このような地域では、多くの家屋が無落雪屋根を採用している。この無落雪屋根は、略Ｖ字状に配置された一対の屋根と、該一対の屋根の間に設けられた集排水溝（スノーダクト）とで構成されており、この集排水溝に設けられた竪排水管を介して融雪水が排水処理される。
【０００３】
この無落雪屋根の集排水溝内に雪が積もると、その集排水の処理能力が著しく低下するため、多くの場合、集排水溝の上部開口はカバー（スノーダクトカバー）で覆われる。このスノーダクトカバーは、アーチ状断面を有すると共に、複数の水抜き孔が形成された長尺状のカバーであり、このようなカバーは、例えば下記特許文献１や特許文献２等に開示されている。このスノーダクトカバーによれば、屋根から集排水溝に向かって滑り落ちてくる雪はカバー側面で堰き止められると共に、その融雪水は水抜き孔を介して集排水溝内に流入する。
【０００４】
【特許文献１】特開２００３−４１７１８号公報
【特許文献２】特開平８−２８４３４１号公報
【発明の開示】
【発明が解決しようとする課題】
【０００５】
しかしながら、前述した従来のスノーダクトカバーには、次のような課題が存在している。すなわち、スノーダクトカバー上に積もった雪によって水抜き孔が塞がれた場合、集排水の処理能力が著しく低下してしまう。その結果、集排水溝付近において融雪水が滞留すると共に氷結し、その氷結した融雪水の上に溜まった水が屋根裏に染み出す、いわゆるすが漏れが引き起こされるという問題があった。
【０００６】
そこで、本発明は、上述の課題を解決するためになされたもので、すが漏れの抑制が図られたスノーダクトカバーを提供することを目的とする。
【課題を解決するための手段】
【０００７】
本発明に係るスノーダクトカバーは、対向する位置に配置された一対の側壁部と、一対の側壁部それぞれの上端部の外表面を、一対の側壁部の外表面から所定距離だけ離間した状態で覆うキャップ部とを備え、一対の側壁部のそれぞれには水抜き孔が複数形成されており、キャップ部は、複数の水抜き孔のうち、少なくとも一部の水抜き孔を覆うことを特徴とする。
【０００８】
このスノーダクトカバーにおいては、各側壁部には、複数の水抜き孔が形成されている。そして、各側壁部に形成された複数の水抜き孔のうち、少なくとも一部の水抜き孔は、各側壁部の外表面から所定距離だけ離間したキャップ部によって覆われている。そのため、このスノーダクトカバー上に雪が積もった場合、少なくともキャップ部によって覆われた水抜き孔は雪で塞がれない。従って、キャップ部によって覆われた水抜き孔を介して良好な集排水処理が維持されるため、このスノーダクトカバーはすが漏れの抑制が有意に図られている。
【０００９】
また、一対の側壁部を一体的に連結する上壁部をさらに備えることが好ましい。この場合、一対の側壁部を一体成型することができるため、製造の容易化が図られると共に、連結部分の高強度化（高剛性化）が図られる。
【００１０】
また、一対の側壁部は、それぞれの下端側にいくに従ってその離間距離が長くなるように傾いていることが好ましい。この場合、スノーダクトカバーを集排水溝を覆うように設置する際や、集排水溝内に架け渡されるように設置する際における安定性の向上が図られる。
【００１１】
また、各側壁部の下端側には、外側に突き出た段部が形成されていることが好ましい。この場合、スノーダクトカバーを集排水溝内に架け渡されるように設置したときに、段部が、例えば、屋根から集排水溝に張り出したひさし等にひっかかるため、スノーダクトカバーが集排水溝から外れる事態が有意に回避される。
【００１２】
また、各側壁部の下端部の縁が弾性体で被覆されていることが好ましい。この場合、スノーダクトカバーを集排水溝内に架け渡されるように設置したときに、スノーダクトカバーと集排水溝の内壁との間の摩擦力が向上するため、スノーダクトカバーが集排水溝から外れる事態が有意に回避される。
【００１３】
また、キャップ部が覆う一対の側壁部の外表面の面積は、該外表面の全体の面積の１／３以下であることが好ましい。
【００１４】
また、各側壁部が弾性材料で構成されていることが好ましい。この場合、スノーダクトカバーを集排水溝内に架け渡されるように設置する際、一対の側壁部の下端部同士が近づくように変形させることで、集排水溝内に容易にスノーダクトカバーを入れることができる。
【００１５】
また、一対の側壁部の下端部の間に介在し、一対の側壁部が互いに離間する方向に突っ張る突張り部材をさらに備えることが好ましい。この場合、集排水溝内に架け渡されるように設置されたスノーダクトカバーにおいて、両側壁部の意図しない変形を突張り部材で抑止することができるため、スノーダクトカバーが集排水溝から外れる事態が有意に回避される。
【発明の効果】
【００１６】
本発明によれば、すが漏れの抑制が図られたスノーダクトカバーが提供される。
【発明を実施するための最良の形態】
【００１７】
以下、添付図面を参照して本発明に係るスノーダクトカバーを実施するにあたり最良と思われる形態について詳細に説明する。なお、同一又は同等の要素については同一の符号を付し、説明が重複する場合にはその説明を省略する。
【００１８】
図１及び図２に示すように、スノーダクトカバー１は、無落雪屋根１０の略Ｕ字状断面の集排水溝（スノーダクト）１１内に設置される。集排水溝１１の両側に配置された一対の屋根１２Ａ，１２Ｂは、集排水溝１１に向かって下降するように傾斜しているため、この屋根１２Ａ，１２Ｂに積もる雪は集排水溝１１方向に移動しやすくなっている。
【００１９】
そして、屋根１２Ａ，１２Ｂに積もった雪（又はその融雪水）は集排水溝１１内に滑落し、融雪水として集排水溝１１で竪排水管１３まで送られ、この竪排水管１３を介して排水処理される。なお、竪排水管１３からは室内の暖気が放出され、その暖気によってスノーダクトカバー１は、カバー外部の温度よりも常に高い温度が保たれている。従って、スノーダクトカバー１は、集排水溝１１内の雪塊及び氷塊を積極的に溶かす機能を有する。図示は省略するが、竪排水管１３にヒータ装置を取り付けると、より高い温度が保たれるので、なお望ましい。
【００２０】
なお、一対の屋根１２Ａ，１２Ｂの集排水溝側の縁には、その縁に沿ってひさし１４Ａ，１４Ｂが張り出しており、スノーダクトカバー１は、その上端位置がひさし１４Ａ，１４Ｂの高さ位置と略同じ位置になるように設置されている。そのため、集排水溝１１の開口を覆うように設けられる従来のスノーダクトカバーよりも、風の影響を受けにくくなっており、スノーダクトカバー１は集排水溝１１から脱落しにくい状態で設けられている。
【００２１】
このスノーダクトカバー１は、集排水溝１１を覆う本体部２０と、本体部２０の上部を覆うキャップ（キャップ部）２１とで構成されている。
【００２２】
まず、スノーダクトカバー１の本体部２０について説明する。
【００２３】
本体部２０は、長尺平板状のガラス繊維強化プラスチック（ＧＦＲＰ）からなり、略Ｖ字状の断面を有している。より厳密には、本体部２０は、Ｖ字の角部が平坦であり、且つＶ字の足部それぞれに段部を有する左右対象の断面形状を有している。すなわち、本体部２０は、平坦面が形成された上壁部２２と、上壁部２２から遠くなるに従って次第に離間距離が増大するように対向する一対の側壁部２３，２４とで構成されており、各側壁部２３，２４の上壁部２２とは反対側の端部には外側に突き出た段部２３ａ，２４ａが形成されている。詳しくは後述するが、この段部２３ａ，２４ａによってスノーダクトカバー１の集排水溝１１からの脱落防止が図られている。
【００２４】
各側壁部２３，２４には、全体に亘って複数の水抜き孔２５が貫設されており、集排水溝１１内に流入した融雪水はこの水抜き孔２５を介して本体部２０の内側に導かれる。また、側壁部２３，２４の下端部の縁は、複数個の緩衝部材（弾性体）２６によって断続的に覆われている。この緩衝部材２６によって、スノーダクトカバー１と集排水溝１１の内壁との間の摩擦力の向上が図られており、スノーダクトカバー１の位置ずれが起こりにくくなっていると共に、スノーダクトカバー１と集排水溝１１との間における緩衝が図られている。なお、緩衝部材２６の構成材料には、発泡塩ビ製の発泡クッション材やゴム材など、水分を吸収しにくい弾性材料を採用することが好ましい。
【００２５】
次に、スノーダクトカバー１のキャップ２１について説明する。
【００２６】
キャップ２１は、側壁部２３の上端部２３ｂと上壁部２２の側壁部２３側部分を連続的に覆うキャッププレート２１Ａと、側壁部２４の上端部２４ｂと上壁部２２の側壁部２４側部分を連続的に覆うキャッププレート２１Ｂとで構成されている。これらのキャッププレート２１Ａ，２１Ｂはいずれも、本体部２０同様、平板状のＧＦＲＰで構成されていると共に、ポリカーボネート製のビス２７によって本体部２０に固定されている。このビス２７の構成材料は、ポリカーボネートに限らず、耐腐性と耐候性に優れた材料から適宜選択することができる。
【００２７】
また、キャッププレート２１Ａ及びキャッププレート２１Ｂは、本体部２０の上壁部２２の表面及び側壁部２３，２４の上端部２３ｂ，２４ｂの外表面２３ｃ，２４ｃに沿う略Ｌ字状の断面を有しており、各キャッププレート２１Ａ，２１Ｂと本体部２０とは所定距離だけ離間している。さらに、キャップ２１は、本体部２０に形成された水抜き孔２５のうち、最上段の水抜き孔２５Ａ全体を覆っている。すなわち、最上段の水抜き孔２５Ａは、キャップ２１（キャッププレート２１Ａ及びキャッププレート２１Ｂ）によって雪が被らないようになっており、水抜き孔２５Ａとキャップ２１との間には常に空隙が形成されている。
【００２８】
以上で説明したスノーダクトカバー１による排水処理について説明する。
【００２９】
上述したように、屋根１２Ａ，１２Ｂに積もる雪は、融雪水として本体部２０に形成された水抜き孔２５からカバー内部に浸入し、集排水溝１１に設けられた竪排水管１３を介して排水処理される。ところが、集排水溝１１内に雪が積もった場合（図２の梨地部分）には、その雪によって水抜き孔２５への流路が遮断される。ただし、最上段の水抜き孔２５Ａは、キャップ２１によってその周囲に空隙が形成されている。そのため、屋根１２Ａ，１２Ｂから集排水溝１１に融雪水が流入した場合、その融雪水は本体部２０とキャップ２１との隙間を通って最上段の水抜き孔２５Ａに向かい、その孔２５Ａからカバー１内部に浸入する（図２の矢印Ｒ参照）。
【００３０】
すなわち、スノーダクトカバー１によれば、キャップ２１部によって覆われた最上段の水抜き孔２５Ａの閉塞が有意に回避されており、この水抜き孔２５Ａを通る流路が常に確保されている。従って、スノーダクトカバー１は、集排水溝１１内に雪が積もった場合であっても良好な集排水処理を維持することができる。そのため、集排水溝１１付近における融雪水の滞留が有意に抑制され、すが漏れが発生しにくくなっている。なお、集排水溝１１内に雪が積もった場合のみならず、融雪水に含まれるゴミ等によって水抜き孔２５が詰まるような場合でも、本体部２０とキャップ２１との隙間を調整することで有意に最上段の水抜き孔２５にゴミ等が詰まる事態を抑制することができるため、そのような場合であっても確実に融雪水の流路を確保することができる。
【００３１】
なお、キャップ２１が覆う側壁部２３，２４の外表面２３ｃ，２４ｃの面積は、外表面２３ｃ，２４ｃ全体の面積の１／３以下であることが好ましい。これは、雨が降った場合や、屋根１２Ａ，１２Ｂの雪が全て溶融した状態で集排水溝に流入する場合には、キャップ２１で覆われた水抜き孔２５よりも、覆われていない水抜き孔２５の方が、効率よく水を取り込むことができるためである。従って、キャップ２１を、側壁部２３，２４の水抜き孔２５の全てを覆うように形成することも可能ではあるが、排水処理の効率の点で、ある程度の水抜き孔２５は露出させておくことが好ましい。
【００３２】
また、側壁部２３，２４は、それぞれの下端側にいくに従ってその離間距離が長くなるように傾いているため、スノーダクトカバー１を集排水溝１１を覆うように設置する際や、集排水溝１１内に架け渡されるように設置する際における安定性の向上が図られている。さらに、スノーダクトカバー１は、弾性材料であるＧＦＲＰで構成されているため、力を加えない状態では広がっている本体部２０の下端部を、集排水溝１１内に設置する際に、作業者によって容易に狭めることができる（図３の二点鎖線参照）。そのため、本実施形態のように屋根１２Ａ，１２Ｂからひさし１４Ａ，１４Ｂが張り出している場合であっても、容易にスノーダクトカバー１を設置することができる。なお、本体部２０は、ＧＦＲＰに限らず、その他の弾性材料で構成することも可能である。
【００３３】
また、スノーダクトカバー１は、本体部２０に段部が形成されているため、風などの影響でスノーダクトカバー１が集排水溝１１から飛び出ようとする際に、図３に示すように、その段部が屋根１２Ａ，１２Ｂのひさし１４Ａ，１４Ｂにひっかかることで実際にスノーダクトカバー１が集排水溝１１から飛び出るような事態が回避される。
【００３４】
さらに、本体部２０の下端部に取り付けられた緩衝部材２６によって、スノーダクトカバー１の位置ずれが起こりにくくなっているため、この緩衝部材２６の採用によりスノーダクトカバー１が集排水溝１１から飛び出るような事態をより確実に回避することができる。なお、緩衝部材２６を、本体部２０の下端部の縁全体に亘って形成せずに、部分的に形成することで、本体部２０の下端部と集排水溝１１との間にも隙間が形成されるため、この隙間から融雪水をカバー内部に導入することが可能であると共に、この隙間からカバー１内部の暖気を放出して集排水溝１１内に積もった雪を溶融させることが可能である。従って、緩衝部材２６を所定領域に部分的に配置することで、スノーダクトカバー１の集排水溝１１からの脱落防止と集排水処理の向上をバランスよくおこなうことができる。
【００３５】
本発明は上記実施形態に限定されるものではなく、様々な変形が可能である。例えば、図４に示すように、スノーダクトカバー１と集排水溝１１の内壁との間の摩擦力をより向上させて、スノーダクトカバー１の集排水溝１１からの脱落をより確実に防止するために、側壁部２３，２４の下端部間に突張り棒２８を介在させてもよい。すなわち、この突張り棒２８によって、側壁部２３，２４同士が互いに離間する方向に付勢力を働かせることにより、スノーダクトカバー１と集排水溝１１の内壁との間の摩擦力を有意に向上させると共に、本体部２０の意図しない変形を抑止することで、スノーダクトカバー１の集排水溝１１からの脱落がより確実に防止される。
【００３６】
また、キャップは、２つの部材で構成されるものの他、上述のキャッププレートが一体的に成形された１部材で構成されたものであってもよい。さらに、本体部が、上述した上壁部を有さず、側壁部のみによって構成されていてもよい（図５（ａ）参照）。ただし、図１及び図２に示した本体部のように側壁部を一体成型した場合のほうが、製造が容易であり、連結部分の高強度化（高剛性化）が図られるという点で好ましい。さらに、本体部は、上述した上壁部を有さず、角部のあるＶ字状の断面を有していてもよく（図５（ｂ）参照）、本体部は、上壁部と側壁部とが曲面によって連続的に形成された半円形状の断面を有していてもよい（図５（ｃ）参照）。
【図面の簡単な説明】
【００３７】
【図１】本発明の実施形態に係るスノーダクトカバーを示した概略斜視図である。
【図２】図１のスノーダクトカバーのＩＩ−ＩＩ線断面図である。
【図３】図１及び図２に示したスノーダクトカバーの集排水溝からの脱落が防止される状態及び集排水溝内に設置される際のスノーダクトカバーの状態を示した図である。
【図４】図１及び図２に示したスノーダクトカバーの別態様を示した図である。
【図５】図１及び図２に示したスノーダクトカバーの別態様を示した図である。
【符号の説明】
【００３８】
１…スノーダクトカバー、１１…集排水溝、１２Ａ，１２Ｂ…屋根、１３…竪排水管、１４Ａ，１４Ｂ…ひさし、２０…本体部、２１…キャップ、２１Ａ，２１Ｂ…キャッププレート、２２…上壁部、２３，２４…側壁部、２３ａ，２４ａ…段部、２３ｂ，２４ｂ…上端部、２３ｃ，２４ｃ…外表面、２５…水抜き孔、２６…緩衝部材、２８…突張り棒。
【図１】
2005325654.tif 000003
【図２】
2005325654.tif 000004
【図３】
2005325654.tif 000005
【図４】
2005325654.tif 000006
【図５】
2005325654.tif 000007